(57)【特許請求の範囲】
【請求項１】
コンピュータによって実行される方法であって：
複数のテキストセクションを含み、さらに前記複数のテキストセクションのうちの少なくとも一つのテキストセクションに割り当てられたトピックを示す情報を含む第一の構造化されたテキストを、テキストセグメント分割およびトピック付与システムから、第一の構造化されたテキスト受領手段によって、受領する段階と；
前記第一の構造化されたテキストをユーザーの校閲のために、第一の構造化されたテキスト提供手段によって、提供する段階であって、前記少なくとも一つのテキストセクションを、該少なくとも一つのテキストセクションに割り当てられた前記トピックに基づいて選択されたセクション見出しと関連付けて提供することを含む、段階と；
前記第一の構造化されたテキストに対する少なくとも一つの修正を指示するユーザーからの入力を、入力受領手段によって、受領する段階と；
前記少なくとも一つの修正を前記テキストセグメント分割およびトピック付与システムに、第二の構造化されたテキストを生成するために、修正提供手段によって、提供する段階と；
前記テキストセグメント分割およびトピック付与システムから前記第二の構造化されたテキストを、第二の構造化されたテキスト受領手段によって、受領する段階であって、前記第二の構造化されたテキストは、前記少なくとも一つの修正を変えずに残しつつ前記第一の構造化されたテキストを再セグメント分割した結果である、段階と；
前記第二の構造化されたテキストをユーザーの校閲のために、第二の構造化されたテキスト提供手段によって、提供する段階とを含む、
方法。
【請求項２】
前記テキストセグメント分割およびトピック付与システムに、構造化されていないテキストを、未構造化テキスト提供手段によって、提供して、応答として前記第一の構造化されたテキストを受領する段階をさらに含む、
請求項１記載の方法。
【請求項３】
ユーザーの発話を含む少なくとも一つの音声信号を、音声信号受領手段によって、受領する段階と；
前記少なくとも一つの音声信号を音声認識システムに提供して、応答として前記構造化されていないテキストを受領する段階とをさらに含む、
請求項２記載の方法。
【請求項４】
前記第二の構造化されたテキストを、ユーザーがさらなる変更を所望しないとの指示に応答して、少なくとも一つの記憶装置に記憶する段階をさらに含む、
請求項１記載の方法。
【請求項５】
前記第二の構造化されたテキストを、その後の音声認識動作におけるコンテキスト情報として使うために、音声認識システムに提供する段階をさらに含む、
請求項４記載の方法。
【請求項６】
請求項１記載の方法であって、
前記第一の構造化されたテキストをユーザーの校閲のために提供する段階がさらに、前記少なくとも一つのテキストセクションに割り当てられたトピックに関連付けられた複数の代替的なセクション見出しを提供することを含み、
前記第一の構造化されたテキストに対する前記少なくとも一つの修正が、既存のセクション見出しを置き換えるための前記複数の代替的なセクション見出しからのユーザーによって選択された代替的なセクション見出しを含む、
方法。
【請求項７】
前記少なくとも一つの修正が、既存のセクション見出しを置き換えるためのユーザーによって入力された新しいセクション見出しを含む、請求項１記載の方法。
【請求項８】
前記少なくとも一つの修正が、前記複数のテキストセクションのうちの二つの相続くテキストセクションの間の境界を動かすことを含む、請求項１記載の方法。
【請求項９】
前記少なくとも一つのテキストセクションに割り当てられたトピックを示す情報が、前記少なくとも一つのテキストセクションに割り当てられたトピックに基づいて選択されたセクション見出しを含む、請求項１記載の方法。
【発明の詳細な説明】
【技術分野】
【０００１】
本発明は、非構造化テキストをテキストセクションにセグメント分割して各セクションにセクション見出しとしてラベルを付与することによって、非構造化テキストから構造化文書を生成する分野に関する。テキストのセグメント分割およびテキストセクションへのラベル付与（ラベル付けとも記される）が提供されるユーザーは、セグメント分割およびラベル付け手続きの制御を有する。
【背景技術】
【０００２】
音声テキスト化転記プロセスによって生成されたテキスト文書は通例、いかなる構造も与えてくれない。従来式の音声テキスト化転記システムや音声認識システムは録音された発話を対応するテキストに文字として転記するのみだからである。テキストの整形、テキストのハイライト、句読点付けまたはテキスト見出しの明示的に口述されたコマンドが、音声認識システムによって、あるいは音声認識プロセスによって生成されたテキストにその後適用されるテキスト整形手続きによって適正に認識されて処理されなければならない。
【０００３】
自動音声認識も、典型的にはトレーニング・データおよび／または手作業で設計されたテキスト整形規則に基づく自動テキスト整形システムもいずれも、複雑な整形コマンド、セクション境界、そしてたとえばセクション見出しを表す特定のテキスト部分を適正に識別するのに必要とされる人間の専門知識を欠いているため、必然的に誤りを生じる。したがって、通常の音声テキスト化転記プロセスまたはテキスト整形プロセスの結果は人間の校正者を通す必要がある。校正者は、文書全体を通して見ることでその文書の内容についての情報を集め、音声テキスト化転記プロセスの出力が理にかなった結果であるかどうか、テキスト整形が文書内容に関して正しく実行されたかどうかを判断しなければならない。
【０００４】
文書の構造が明示的に口述されていないとき、すなわち多くの見出しやセクション境界が発話による口述で明示的にエンコードされていないときには校正者の仕事はさらにひどくなる。さらに、文構造すなわち句読点記号さえもがほとんど口述されないときには、そうした句読点記号は校正者が手動で挿入してやる必要がある。
【０００５】
特にテキストのセクションへの分割は校正者にとっては負担の大きい仕事である。これは、あるセクション種別の変化を検出するのは校正者が新しいセクションのより長い部分を読んでからでないと判断できないからである。ここで、校正者は、セクション境界および適切な見出しを挿入するためにすでに吟味したテキスト内の何らかの位置にジャンプして戻らなければならない。特に、文書内のさまざまな位置の間で絶えずジャンプすることは、人間の校正者にとって、非常に時間がかかり、骨の折れることである。
【発明の概要】
【発明が解決しようとする課題】
【０００６】
一例として、本発明は、ユーザーの判断に反応して非構造化テキストのセグメント分割およびラベル付けを実行するための、方法、コンピュータプログラムプロダクト、テキストセグメント分割システムおよびテキストセグメント分割システムのためのユーザーインターフェースを提供することをねらいとしている。本発明はまた、ユーザーの校閲に反応してその構造化テキストを修正できるようにすることもねらいとしている。当業者は、すべての実施形態が上記の目的のすべてを達成できるとは限らないことを理解するであろう。
【課題を解決するための手段】
【０００７】
本発明は、テキストをテキストセクションにセグメント分割し、各セクションにトピックを付与し、各テキストセクションにセクション見出しの形でラベルを付与する方法を用いるテキスト処理システムのための効率的なユーザーインターフェースを提供する。これらのタスクは注釈付けされたトレーニング・データに基づいてトレーニングされた統計モデルを使って実行される。まず、当該方法はトレーニング・データから抽出された統計モデルを使うことによってテキストのテキストセクションへのセグメント分割を実行する。テキストがテキストセクションにセグメント分割されたのち、各テキストセクションはテキストセクションの内容を示すトピックを付与される。テキストセクションへのトピックの付与にあたってもトレーニング・データから抽出された統計モデルが使用される。テキストセグメント分割およびトピック付与が実行されたのち、当該テキストにラベルをセクション見出しとして挿入することによって構造化されたテキストが生成される。ラベルは当該テキスト中で、そのラベルのすぐあとにそのラベルが言及しているセクションが続くよう、セクション境界に対応する位置に挿入される。この挿入されたラベルは、続くテキストセクションに先立つ見出しとして理解されるべきである。
【０００８】
上記の方法で構造化テキストが生成されたら、該構造化テキストは、セグメント分割、トピック付与およびテキストの一般的な構造化の制御を有するユーザーに提供される。当該方法は最後に、ユーザーの校閲に反応してその構造化テキストの修正を実行する。
【０００９】
本発明のある好ましい実施形態によれば、セクション見出しとしてのラベルの挿入には、句読点付け、ハイライト、インデントおよび書体の修正といった整形ステップを組み込んでいるテキスト整形手続きが含まれる。
【００１０】
本発明のあるさらなる好ましい実施形態によれば、テキストセクションへのトピック付与は、当該テキストセクションへの複数のラベルの集合の付与をも含む。付与されたラベルの集合のうちの一つのラベルが最終的にセクション見出しとしてそのテキストに挿入される。ここではトピック（topic）は、セクションの明確に区別される（distinct）類（class）または種別（type）のやや抽象的な宣言を表している。そのような宣言は、典型的なまたは所定の構造に従ういわゆる組織化文書に特に適用可能である。たとえば、医療報告書は人口学的ヘッダ、患者の病歴、健康診断および使用薬のようなトピックの系列を特徴とする。
【００１１】
そのような構造化文書の各セクションは抽象的なトピックによって識別できる。抽象的なトピックとは対照的に、ラベルはそのようなセクションの具体的な見出しを示す。たとえば、患者の検査に言及するセクションは「健康診断」「診断」「検査」「外科的検査」といった複数のさまざまな方法でラベル付けできる。テキストのあるセクションにラベル付けする方法がどうであれ、セクションの内容、すなわち今の場合だと検査は、付与されたトピックによって同定される。
【００１２】
テキストのテキストセクションへのセグメント分割は、たとえば米国特許第6,052,657号で開示されている方法によって実行できる。これは言語モデルならびにテキストのあるブロックと言語モデルとの間の相関を示すための言語モデルスコアを利用している。テキストのセグメント分割およびトピック付与のためのより精密で信頼できる手続きは、本出願と並行して出願された特許出願“text  segmentation  and  topic  annotation  for  document  structuring”において開示されている。この文書は、テキストセグメント分割およびトピック注釈付けのための、トピックシーケンス確率、トピック位置確率、セクション長確率およびテキスト放出（emission）確率を明示的に利用することによる統計モデルを記載している。これらの確率は、根底にある注釈付けされたトレーニング・データが組織化文書であるときには特に助けになる。
【００１３】
本発明のあるさらなる好ましい実施形態によれば、テキストセクションへのラベルの集合のうちの一つのラベルの付与および付与されたその一つのラベルを前記テキストセクションのセクション見出しとして当該テキストに挿入することは、トレーニング・データに基づく計数統計および／またはセクション冒頭において見出される明示的なもしくは部分的な言語表現を考慮する。計数統計は何らかのトピックに対応付けられたセクションの前にある特定のラベルがくる観察された頻度を反映するものである。この方法により、最も好適なラベルまたは見出しについてのほかの手がかりが全くテキスト中に見出されない場合に、トピックごとに最も頻繁に付与されるラベルがデフォルト見出しとして選択されうる。換言すれば、計数統計量によってデフォルトラベルがテキストセクションに付与されるのである。
【００１４】
あるいはまた、前記計数統計に基づくラベル付与は、あるセクションの冒頭に、当該セクションに付与されているラベルの集合のうちの一つに厳密に一致する明示的な言語表現が見出された場合には無効にされる（overruled）。さらに、セクションの冒頭で明示的な言語表現に厳密に一致するラベルがない場合、当該セクションの冒頭に見出された何らかの言語表現に部分的にのみ一致するラベルがデフォルトラベルの代わりに挿入されてもよい。一つのラベルのテキストセクションへの付与、すなわち当該テキストセクションに付与されているラベルの集合のうちの一つのラベルの選択は、トレーニング・データに基づく計数統計とセクション冒頭に見出された完全な明示的なまたは部分的な言語表現とを組み合わせたものに関連して実行できる。
【００１５】
本発明のあるさらなる好ましい実施形態によれば、セクション冒頭で何らかの完全または部分的な言語表現が見出された場合、この言語表現が当該セクションから除去されてもよい。これは、その言語表現が、挿入されるラベルによって置き換えられる明示的に口述された見出しを表している場合に有用である。例を挙げると、「薬患者が使用するのは…」で始まるセクションは「薬」というラベルに対応付けできる。このラベルはそのあとに続くセクションのための見出しの役割をするので、「薬」という用語そのものはセクションのテキストからは除去して、「患者が使用するのは…」で始まる適切なセクション内容が残るようにするべきである。この方針の修正としては、口述された見出しの一部または何らかのセクションの冒頭句でありうる何らかの所定のつなぎ語（filler）を、たとえそのつなぎ語がラベルの一部でなくても除去することが考えられる。たとえば、あるセクションが「薬はX、Y、Z…」で始まっている場合に、これを「薬」という見出しとそれに続く薬の列挙「X、Y、Z…」に変換し、つなぎ語「は」をスキップする。
【００１６】
本発明のあるさらなる好ましい実施形態によれば、たとえば明示的な言語表現とラベルとの間の厳密な一致などによる当該テキストへのセクション見出しの挿入は、ユーザーによって無効にされることができる。この場合、当該方法によって挿入が取り消され、もとのテキスト部分が復元される。より具体的には、何らかのセクション冒頭語が付与されたラベルとの一致したために除去された場合、ユーザーがこれらの除去された語に一致しない別のラベルを使うことに決めたときにはこれらの語が再挿入される必要がある。
【００１７】
本発明のあるさらなる好ましい実施形態によれば、構造化テキストのユーザーへの提供はさらに、各テキストセクションに付与されているラベルの完全な集合を提示することを含む。ラベルの集合の各ラベルはセクション見出しのための代替を表しているので、ユーザーは自動的に挿入されたセクション見出しを代替の見出しと簡単に比較することができる。
【００１８】
本発明のあるさらなる好ましい実施形態によれば、構造化テキストのユーザーへの提供はさらに、代替的なセクション境界の指標を提示することを含む。この方法では、本方法によってテキスト中に自動挿入されたセクション境界がユーザーに見えるばかりでなく、より簡単かつ簡便な校正のために、代替のセクション境界がユーザーに提示される。この方法では、当該文書の正しいセクション境界を見出すという校正者の仕事は、自動挿入されたセクション境界および代替的なセクション境界の取得に還元される。
【００１９】
本発明のあるさらなる好ましい実施形態によれば、ユーザーの校閲に反応しての構造化テキストの修正は、当該テキストのテキストセクションへのセグメント分割および／またはラベルとテキストセクションとの間の対応付けの修正に関わる。さらに、句読点付け、ハイライトなどといった実行された整形の修正も考えられる。
【００２０】
本発明のあるさらなる好ましい実施形態によれば、ユーザーの校閲に反応して実行されるテキストセグメント分割の修正およびテキストセクションへのラベルの付与の修正は、ユーザーが、提示されたラベルの一つまたは代替的セクション境界の一つを選択することによって開始される。するとユーザーによって選択されたその修正が本方法によって実行され、セクション見出しを選択されたセクション見出しで置き換えたり、セクション境界の位置を変えたりする。
【００２１】
ある第一のテキスト修正を達成することは、第二のテキスト修正を実行しなければならないことを意味することがある。たとえば、セクション見出しに番号が付いている場合、あるテキストセクションを除去すれば、後続のテキストセクションまたはセクションラベルの再番号付けが必要になる。したがって、本発明はさらに、ユーザーの校閲に反応して実行される先の修正に起因する修正を動的に実行するよう適応される。
【００２２】
本発明のあるさらなる好ましい実施形態によれば、テキストセクションへのセクション見出しとしてのラベルの付与の修正は、ユーザーが、テキストセクションに付与されているラベルの与えられた集合のうちの一つのラベルを選択することに反応して、あるいはユーザー定義のラベルを入力してこのユーザー定義ラベルをセクション見出しとして当該テキストセクションに付与することによって実行される。このようにして、ユーザーは迅速かつ効率的に与えられているラベルの集合のうちの一つのラベルを正しいセクション見出しとして同定したり、あるいはまた当該テキストセクションに対してそれまで知られていなかった見出しを定義したりすることができる。
【００２３】
ラベルの集合のうちの一つのラベルの選択も、ラベルの入力も、当該テキスト中でセクション境界として識別された位置に限定されるものではない。それに加えて、ユーザー要求に基づき、当該テキスト中の任意の位置に適切なラベルの集合を与えることができる。このようにしてユーザーはやはり文書の構造化およびラベル付けの完全な制御を有する。
【００２４】
本発明のあるさらなる好ましい実施形態によれば、ユーザーの校閲に反応しての修正の処理があると、テキストのテキストセクションへの再セグメント分割およびテキストセクションを指すセクション見出しとしてラベルを挿入することによる構造化テキストの再生成がその後引き起こされる。再セグメント分割も構造化テキストの再生成も、トレーニング・データから抽出された統計モデルを利用し、ユーザーの校閲に反応して処理されたすでに実行済みの修正を参照する。たとえばユーザーがセクション境界の再定義の形で、あるいはセクション見出しの再ラベル付けの形でテキスト中に修正を導入した場合、本発明の方法は、最初に実行されたユーザーの修正は変えずに残して当該構造化テキストのその後の再セグメント化および再生成を実行する。このように、ユーザーによって導入された修正が本発明の方法によって無効にされたり再修正されたりすることは決してない。
【００２５】
本発明のあるさらなる好ましい実施形態によれば、テキストのセクションへの再セグメント分割も、セクション見出しとしてラベルを挿入することによる構造化テキストの再生成も、校正者またはユーザーによって実行される校閲プロセスの間、動的に実行される。テキストの再セグメント分割も構造化テキストの再生成も、全テキストセクションに適用することもできるし、現在のセクションおよび後続の全セクションに適用することもできるし、ユーザーによって指定されれば単一のセクションに適用されることもできる。たとえば、新しいセクション境界が導入されたとき、あるいはユーザーによって見出しが除去されたときには、さらなる再構造化や見出し更新は現在のセクションのみに限定されることが理にかなっている。このようにして、本方法は、テキストに導入される必要のある小規模な、よって局所的な変更に対してより速く反応できる。
【００２６】
本発明のあるさらなる好ましい実施形態によれば、テキストセグメント化の粒度を、粒度パラメータというものをカスタマイズすることによってユーザーが制御できる。このようにして、ユーザーは、テキストの構造化が細かめか粗めかを決定できる。カスタマイズ可能な粒度パラメータを変更すれば、その結果としてテキストセクションの除去または挿入が生じる。
【００２７】
本発明のあるさらなる好ましい実施形態によれば、ユーザーの校閲に反応して実行される修正は、統計モデルをさらにトレーニングするために本方法によってログに記録され、解析される。このようにして、本方法全体をユーザーの嗜好に効率的に適応させることができる。たとえば、ユーザーがテキストからある特定のラベルを繰り返し除去している場合、本テキストセグメント分割方法は、将来の適用においては、この特定のセクション見出しを挿入することを控える。ユーザーによる修正が本方法の適応に影響する度合い――つまり適応の感度――もユーザーが制御できる。これはたとえば、あるラベルの挿入または除去が所定回数生起してはじめて本方法がこの特定のユーザー導入修正に適応するということを意味する。導入された変更に本方法が適応するまでに手動による変更が何度加えられる必要があるかは、ユーザーが与えてもよい。
【００２８】
さらに、ユーザー導入修正への本方法の適応は、現在の文書における後続セクションをもすでに指定していることができる。本方法は、ある文書の始まりの部分でユーザーによって導入された修正に適応し、後続のテキストセクション内では対応する修正を自動的に実行する。したがって、この適応は現在の文書ならびに本発明の方法が適用される将来の文書にも適用される。
以下で、本発明の好ましい実施形態について図面を参照しつつより詳細に説明する。
【図面の簡単な説明】
【００２９】
【図１】本発明のセグメント分割法のフローチャートを示す図である。
【図２】ユーザー導入修正の解析を組み込んだテキストセグメント分割のためのフローチャートを示す図である。
【図３】音声認識プロセス中に本発明を実装するフローチャートを示す図である。
【図４】本発明のユーザーインターフェースのブロック図である。
【図５】セグメント分割システムのブロック図である。
【発明を実施するための形態】
【００３０】
図１は、テキストセグメント分割およびトピック付与方法のフローチャートを示している。第一のステップ１００では、音声テキスト化転記システムなどによって生成された非構造化テキストが入力される。入力されたテキストに基づき、ステップ１０２では本方法は当該テキストをテキストセクションにセグメント分割して各テキストセクションにトピックを付与することによって、構造化およびトピック付与を実行する。ステップ１０２におけるテキストセグメント分割およびトピック付与を実行するためには、トレーニング・データから抽出される言語モデルまたは統計モデルがステップ１０４によってステップ１０２に提供される。ステップ１０５は、あるラベルがあるトピックに付与される確率を示すラベル計数統計を提供する。ラベル計数統計は、トレーニング・データに基づいてあるラベルがあるトピックに付与される頻度を反映するものである。
【００３１】
ステップ１０６では、ステップ１０５で提供された計数統計およびステップ１０２で提供されたセグメント分割テキストを参照することによって、各テキストセクションにラベルがセクション見出しとして付与され、当該テキスト中の適切な位置に挿入される。ステップ１０６によってラベル付与が実行されたのち、セグメント分割されたテキストおよび挿入されたラベルならびに代替的なラベルがステップ１０８でユーザーに提示される。さらに、ステップ１０８では代替的なセクション境界がユーザーに提示される。後続ステップ１１０において、ユーザーはステップ１０８の提供されたセグメント分割およびラベル付与が許容できるかどうかを決定する。あるいはまた、ユーザーは、ステップ１０８によって提示された代替見出しまたは代替セクション境界によって提示された代替セグメント分割を選択することもできる。
【００３２】
提示された代替のいずれもユーザーの嗜好を満たさない場合、ユーザーはセクション境界やセクション見出しを入力することもできる。ステップ１１０のユーザーの決定に反応して、ステップ１１２でユーザーの決定が本方法によって処理される。ユーザーの決定の処理は、挿入されたセクション見出しの置き換え、後続セクション見出しの再ラベル付け、当該文書の後続部分の再構造化または当該文書全体の再構造化および再ラベル付けを含む。さらに、ユーザーが導入した修正の動的処理も考えられる。動的処理とは、ユーザーが修正を導入すると、後続テキストセクションに関係したさらなる修正または当該構造化方法の以後の適用の際に実行されるべき修正を自動的に引き起こすということを意味する。
【００３３】
ステップ１１２でユーザー決定が処理されたのち、次のステップ１１４で結果としての修正が実行される。
【００３４】
図２は、ユーザーの導入した修正の分析を組み込んだテキストセグメント分割およびテキスト付与方法のフローチャートを示している。第一のステップ２００では、音声テキスト化転記プロセスなどの結果として得られる非構造化テキストがステップ２０２に提供される。ステップ２０２では、テキストセクションへのテキストセグメント分割が、ステップ２０４によって提供される言語モデルまたは統計モデルを使用することによって実行される。さらに、ステップ２０２では、ステップ２０４によって提供される言語モデルに保存されている統計情報を使用することによって各テキストセクションにトピックが付与される。
【００３５】
ステップ２０２で当該テキストがテキストセクションにセグメント分割されたのち、そして各テキストセクションがあるトピックに対応付けられたのち、後続ステップ２０６で、各テキストセクションにセクション見出しとしてラベルが付与され、テキスト中の適切な位置に挿入される。ステップ２０６で実行されたラベル付与は、ステップ２０５によってステップ２０６に提供されるラベル計数統計を明示的に使用する。ラベル計数統計は、トレーニング・データに基づいて、あるラベルがあるトピックに付与される頻度を反映するものである。
【００３６】
当該テキストをテキストセクションにセグメント分割し、各テキストセクションにトピックを付与し、さらに各テキストセクションにラベルを付与することによってテキストが構造化されたのち、付与された見出しが代替候補とともにステップ２０８でユーザーに提示される。ユーザーに提示される代替候補とは、代替的なテキストセグメント分割ならびに代替的なセクションラベルのことである。次のステップ２１０では、ユーザーは実行されたテキストセグメント分割および実行されたセクションラベル付与を受け入れるかどうか、あるいは提示された代替候補の一つを選択するかどうかを決定する。さらに、ユーザーは任意のセグメント分割ならびに任意のセクション見出しを自分の嗜好に従って入力することもできる。ステップ２１０のユーザー決定ののち、次のステップ２１４で本方法はユーザーによって何らかの修正が導入されたかどうかを調べる。ステップ２１４でユーザー導入修正が検出されなければ、本方法はステップ２１８で終了し、ステップ２０６で実行されたような構造化およびラベル付けされたテキストを結果として与える。これに対し、ステップ２１４でユーザー導入修正が検出された場合、本方法はステップ２１２に進む。ここではユーザー導入修正が処理され、実行される。ユーザーの決定の処理および実行は異なるテキストセグメント分割、テキストラベル付けおよびテキスト整形手続きの複数を組み込む。
【００３７】
ステップ２１２でユーザー決定が処理され、実行されたのち、本方法はステップ２１６に進む。ステップ２１６では、ユーザー導入修正が、本構造化および付与手続きの次の適用のための永続条件として保存される。ステップ２１６後、前記ユーザー修正の種類がテキスト構造化に関わるかテキストセクションへのラベル付与に関わるに応じて、本方法はステップ２０２またはステップ２０６に戻り、新しい構造化または新しいラベル付与が実行される。
【００３８】
同様にして、ステップ２０２およびステップ２０６によって実行される当該テキストの新しい再構造化および新しい再付与は、ステップ２１６によって提供されるすでに実行された修正を明示的に考慮する。このようにして、ユーザーが実行した修正がテキスト構造化ステップ２０２およびラベル付与ステップ２０６によって決して無効にされないことが保証される。
【００３９】
図３は、テキストセグメント分割およびトピック付与方法の音声認識システムへの実装を示している。ステップ３００で音声がシステムに入力される。次のステップ３０２では、音声の第一の部分p＝1が選択される。ステップ３０２によって選択された音声の第一の部分はステップ３０４に提供され、該ステップ３０４は言語モデルmを使用することによって音声テキスト化転記を実行する。言語モデルmはステップ３０６によってステップ３０４に提供される。ステップ３０４によって音声部分pがテキスト部分tに転記されたのち、ステップ３０８では結果として得られる、音声部分pに対応するテキスト部分tが保存される。次のステップ３１０では、音声部分の添え字pが最後の音声部分を示すpmaxと比較される。pがpmaxより小さければ、pは1インクリメントされ、本方法はステップ３０４に戻る。ステップ３０４、３０８、３１０は音声部分の添え字pが最後の音声部分pmaxに等しくなるまで繰り返し適用される。音声部分の添え字pが最後の音声部分pmaxに等しい場合には、音声信号全体がテキストに転記されたことになる。そのとき、結果として得られるテキストは、複数の音声部分pに対応する複数のテキスト部分tからなる。
【００４０】
転記されたテキストに基づいて、ステップ３１２において、当該テキストのテキストセクションへのセグメント分割が実行され、各テキストセクションは各セクションの内容に特異的なトピックに対応付けられる。ステップ３１２のこのセグメント分割手続きは、ステップ３１４によってステップ３１２に提供される、テキストセグメント分割のために設計された統計モデルを使用する。ステップ３１２で当該テキストがセグメント分割されトピックに対応付けられたら、次のステップ３１６では、各テキストセクションに付与されたトピックが該テキストセクションの対応する音声部分p′と並んで決定される。この決定に基づいて、次のステップ３１８ではある特定のセクションを指している音声部分p′の第二の音声認識が実行されうる。ステップ３０６によって、あるテキストセクションに付与されているトピックに応じて、第二の音声認識のためのトピック特異的な言語モデルが提供される。ステップ３００から３１０によって記述された手続きにおいて音声はすでにステップごとに転記されているので、繰り返しの音声認識は、音声部分p′に対応する特定のテキスト部分について選択的に実行できる。
【００４１】
前記繰り返しの音声認識ステップが当該テキストの各セクションについて実行されたら、ステップ３２０においてユーザーは当該テキストのセグメント分割に関するさらなる修正を導入することができる。ステップ３２０のユーザー導入修正により、本方法はテキストセグメント分割ステップ３１２に戻る。ここで、ユーザーのフィードバックに応じて新しいセグメント分割が生起してもよいし、ならびに／またはセクションをトピックおよびラベルに再対応付けしてもよい。
【００４２】
ステップ３１２の実行されたテキストセグメント分割およびステップ３１８の繰り返しの音声認識ステップがいずれもユーザーによって了承されたら、本方法はステップ３２２で終了する。
【００４３】
ステップ３１６において実行されるトピックとセクションとの間の対応付けは、ステップ３０４によって実行される音声転記とともにやはり、前記特許出願“Text  segmentation  and  topic  annotation  for  document  structuring”において、および本出願人によって本願と並行して出願された特許出願“Text  specific  models  for  text  formatting  and  speech  recognition”によって記載されているようなテキストセグメント分割およびトピック注釈付けの方法を明示的に利用する。
【００４４】
このようにして、人間の校正者の専門知識を、普遍的かつ効率的にテキストセグメント分割およびテキストラベル付けに、ならびに対応する音声認識手続きに結び付けることができる。
【００４５】
図４は、本発明のユーザーインターフェースのブロック図を示している。ユーザーインターフェース４００は好ましくはグラフィカルユーザーインターフェースとして適応される。ユーザーインターフェース４００はテキストウィンドウ４０２および提案ウィンドウ４０４を有する。テキストセグメント分割およびラベル付与にかけられたテキストはテキストウィンドウ４０２内に提示される。テキスト内にセクション見出しとして挿入されたラベル４０６は、テキストウィンドウ４０２内で提示されるテキストの中でみつけやすいようハイライトされる。ユーザーがたとえばポインタ４０８を使うとき、そのユーザーはラベル４０６を選択でき、ラベル４０６の選択に反応してラベルリスト４１０がユーザーインターフェース内で提示される。ラベルリスト４１０は、ラベル４０６の代わりにテキスト中に挿入されうる代替的なラベルとなることのできるラベル４１２、４１４、４１６の集合全体を提示する。
【００４６】
追加的または代替的に、ラベルリスト４１０は提案ウィンドウ４０４内でも提示されることができる。ポインタ４０８によって、ユーザーはラベルリスト４１０によって提示されるラベル４１２、４１４、４１６のうちの一つを選択して所与のテキスト中のラベル４０６を置き換えることができる。ラベル４０６、４１２、４１４、４１６のいずれもユーザーの嗜好に合わないときには、ユーザーはユーザー入力欄４１８を使ってラベルを入力できる。ひとたび代替ラベルがユーザーによって選択または入力されたら、ラベル４０６は代替ラベルによって置き換えられる。同じようにして、代替的なテキストセグメント分割を用いたテキストのセグメント分割が代替的なセクション境界の形でユーザーに提示され、ユーザーの選択に基づいて実行されうる。
ユーザーは、当該テキスト中の第一の位置で付与されたラベル（４０６）を選択し、その付与されたラベルを当該テキスト中の第二の位置に移動することによってセクション境界を再定義してもよい。前記第二の位置がセクション境界を定義し、前記選択されたラベルが前記セクション見出しを定義する。
【００４７】
図５は、本発明のセグメント分割システムのブロック図を示している。セグメント分割システム５００はグラフィカルユーザーインターフェース５２０、構造化テキストを保存するための構造化テキストモジュール５１８、処理ユニット５１６、統計モデルを保存する統計モデルモジュール５１４、非構造化テキストを保存する非構造化テキストモジュール５１２および音声テキスト化転記を実行する音声認識モジュール５１０を有している。セグメント分割システム５００は外部記憶装置５０８および入力装置５０４に接続されている。ユーザー５０６は、セグメント分割システム５００の入力装置５０４およびグラフィカルユーザーインターフェース５２０を通じてセグメント分割システムと対話できる。
【００４８】
セグメント分割システムに入力された音声５０２は音声認識モジュール５１０によって処理される。音声認識モジュール５１０は非構造化テキストモジュール５１２に接続されており、そこに音声テキスト化転記プロセスの結果として得られる非構造化テキストが保存される。該非構造化テキストモジュール５１２は処理ユニット５１６に接続されており、非構造化テキストを該処理ユニット５１６に与えるようになっている。処理ユニット５１６は統計モデルモジュール５１４に双方向的に接続されている。統計モデルモジュール５１４に保存されている統計モデルによって与えられる統計情報を使うことによって、処理ユニット５１６は、前記非構造化テキストモジュール５１２によって与えられた非構造化テキストに基づいて、テキストセグメント分割および当該テキストのセクションへのラベル付与を実行する。音声認識モジュールはさらに、前記統計モデルモジュールによって保存され、提供される言語モデルを使用する。このようにして、統計モデルモジュールはテキストセグメント分割のための言語モデルとともに音声認識のための言語モデルをも提供する。テキストセグメント分割が通例一字連接を使うのに対して音声認識は通例三字連接を使うので、後者は典型的には、テキストセグメント分割のための言語モデルと比べて異なる種類である。
【００４９】
処理ユニット５１６がテキストセグメント分割およびテキストセクションへのセクション見出しとしてのラベルの付与を実行したら、そのようにして生成された構造化テキストは構造化テキストモジュール５１８に保存される。構造化テキストモジュールはグラフィカルユーザーインターフェース５２０に接続されており、構造化テキストモジュール５１８に保存されている構造化テキストをユーザー５０６にグラフィカルユーザーインターフェース５２０によって提示するようになっている。ユーザー５０６は入力装置５０４を通じてセグメント分割システムと対話できる。したがって、入力装置５０４はグラフィカルユーザーインターフェース５２０と処理ユニット５１６とに接続されている。ユーザー５０６がテキスト構造化またはラベル付与のどちらかの修正を導入すると、処理ユニット５１６は構造化テキストモジュール５１８に保存されている構造化テキストの再構造化および再対応付けを実行する。再構造化および再対応付けされた構造化テキストは、実行された修正がユーザーの嗜好に一致するまで繰り返しユーザーに提示される。それ以上の変更がユーザーによって導入されなくなったら、構造化テキストモジュール５１８に保存されている構造化テキストは外部記憶装置５０８に伝送される。
【００５０】
さらに、構造化テキストモジュール５１８に保存されている構造化テキストは、音声認識モジュール５１０によって実行される改良された音声認識のために活用されることもできる。したがって、構造化テキストモジュール５１８は音声認識モジュール５１０に直接接続される。このコンテキスト特異的なフィードバックの利用により、より精確で特定的な音声認識手続きが音声認識モジュール５１０によって実行できるようになる。
【００５１】
このように、本発明は、文書を構造化し、テキストセクションにセクション見出しのはたらきをするラベルを付与する方法を提供する。特に、自動音声認識および自動音声転記の分野において、人間の校正者によって実行されるべき校正の仕事がきわめて容易化される。提案されるテキストのセグメント分割については、校正者にとって、何らかの見出しに続くテキストが本当に対応する種別のセクションを表しているかどうかを確認することは、テキストの一部分を吟味し、セクションを判別し、セクションの始まりに戻ってテキストに見出しを挿入しなければならない従来式の校正手続きに対比してずっと簡単である。
【００５２】
さらに、本方法は、校正者によって簡単に選択できる代替的なセクション境界および代替的なセクションラベルを供給する。さらに、校正プロセスの間、システムは校正者によって導入された最も頻繁な訂正を学習し、この情報を将来の適用のために利用する。
【００５３】
いくつかの態様を記載しておく。
〔態様１〕
テキストをテキストセクションにセグメント分割し、注釈付けされたトレーニング・データに基づいて各テキストセクションにトピックを付与する方法であって、
・トレーニング・データから抽出された統計モデルを使うことによって当該テキストをテキストセクションにセグメント分割し、
・前記トレーニング・データから抽出された統計モデルを使うことによって各テキストセクションに該テキストセクションの内容を示すトピックを付与し、
・前記ラベルを前記テキストセクションに付与するために当該テキストにラベルをセクション見出しとして挿入することによって、構造化されたテキストを生成し、
・前記構造化されたテキストをユーザーに提示し、
・ユーザーの校閲に反応して前記構造化されたテキストの修正を処理する、
ステップを有することを特徴とする方法。
〔態様２〕
テキストセクションに付与された前記トピックがさらにラベルの集合に付与されており、該ラベルの一つが前記テキストセクションに付与されて当該テキストにセクション見出しとして挿入されることを特徴とする、態様１記載の方法。
〔態様３〕
前記構造化されたテキストをユーザーに提示することがさらに、各テキストセクションについて、該テキストセクションに付与された前記トピックに付与された前記ラベルの集合を提示することを含むことを特徴とする、態様１または２記載の方法。
〔態様４〕
前記テキスト修正が、当該テキストのセクションへのセグメント分割の修正ならびに／またはラベルとテキストセクションとの間の対応付けの修正を含むことを特徴とする、態様１ないし３のうちいずれか一項記載の方法。
〔態様５〕
態様３または４記載の方法であって、前記構造化されたテキストの修正が：
・あるテキストセクションにラベルを、該テキストセクションに付与されている前記トピックに付与された前記ラベルの集合のうちの一つのラベルを選択することによって付与し、
・当該テキスト中の第一の位置で付与されたラベルを選択し、その付与されたラベルを当該テキスト中の第二の位置に移動することによってセクション境界を再定義し、前記第二の位置がセクション境界を定義し、前記選択されたラベルが前記セクション見出しを定義し、
・ラベルを入力し、該入力されたラベルを前記テキストセクションに付与する、
ことを含むことを特徴とする方法。
〔態様６〕
態様１ないし５のうちいずれか一項記載の方法であって、前記構造化されたテキストの修正の前記処理が、ユーザーの校閲に反応して当該テキスト中の修正を実行し、その後：
・前記トレーニング・データから抽出された統計モデルを使い、かつ前記実行された修正を参照することによって、当該テキストをテキストセクションに再セグメント分割し、
・前記実行された修正を参照することによって当該テキストにラベルをセクション見出しとして挿入することによって構造化されたテキストを再生成し、前記ラベルを前記テキストセクションに付与し、前記構造化されたテキストを校閲のためにユーザーに提示する、
ステップを引き起こすことを含むことを特徴とする方法。
〔態様７〕
態様１ないし６のうちいずれか一項記載の方法であって、前記構造化されたテキストの修正の前記処理が、当該テキスト内であるテキスト部分がセクション見出しを記述する定型として識別されたときに、該テキスト部分をラベルによって置き換えることを含むことを特徴とする方法。
〔態様８〕
態様１ないし７のうちいずれか一項記載の方法であって、前記テキストセグメント分割の粒度が、カスタマイズ可能な粒度パラメータによってユーザーにより制御されることを特徴とする方法。
〔態様９〕
態様１ないし８のうちいずれか一項記載の方法であって、前記統計モデルを適応させるために、前記構造化されたテキストの修正がログに記録され、解析されることを特徴とする方法。
〔態様１０〕
テキストをテキストセクションにセグメント分割し、注釈付けされたトレーニング・データに基づいて各テキストセクションにトピックを付与するテキストセグメント分割システムであって、
・トレーニング・データから抽出された統計モデルを使うことによって当該テキストをテキストセクションにセグメント分割する手段と、
・前記トレーニング・データから抽出された統計モデルを使うことによって各テキストセクションに該テキストセクションの内容を示すトピックを付与する手段であって該トピックがさらにラベルの集合に付与されている手段と、
・前記ラベルを前記テキストセクションに付与するために当該テキストに前記ラベルの集合のうちの一つのラベルをセクション見出しとして挿入することによって、構造化されたテキストを生成する手段と、
・前記構造化されたテキストをユーザーに提示する手段と、
・ユーザーの校閲に反応して前記構造化されたテキストの修正を処理する手段、
とを有することを特徴とするシステム。
〔態様１１〕
態様１０記載のテキストセグメント分割システムであって、前記構造化されたテキストの修正を処理する手段が、当該テキストのセクションへのセグメント分割の修正ならびに／またはラベルとテキストセクションとの間の対応付けの修正を実行するよう適応されていることを特徴とするシステム。
〔態様１２〕
態様１０または１１記載のテキストセグメント分割システムであって、前記構造化されたテキストの修正を処理する手段がさらに：
・あるテキストセクションにラベルを、該テキストセクションに付与されている前記トピックに付与された前記ラベルの集合のうちの一つのラベルを選択することによって付与し、
・当該テキスト中の第一の位置で付与されたラベルを選択し、その付与されたラベルを当該テキスト中の第二の位置に移動することによってセクション境界を再定義し、前記第二の位置がセクション境界を定義し、前記選択されたラベルが前記セクション見出しを定義し、
・ラベルを入力し、該入力されたラベルを前記テキストセクションに付与する、
ことを実行するよう適応されていることを特徴とするシステム。
〔態様１３〕
態様１０ないし１２のうちいずれか一項記載のシステムであって、前記構造化されたテキストの修正を処理する前記手段が、ユーザーの校閲に反応して当該テキスト中の修正を実行するよう適応されており、さらに：
・前記トレーニング・データから抽出された統計モデルを使い、かつ前記実行された修正を参照することによって、当該テキストをテキストセクションに再セグメント分割し、
・前記実行された修正を参照することによって当該テキストにラベルをセクション見出しとして挿入することによって構造化されたテキストを再生成し、前記ラベルを前記テキストセクションに付与し、前記構造化されたテキストを校閲のためにユーザーに提示する、
ステップをその後引き起こす手段を有することを特徴とするシステム。
〔態様１４〕
態様１０ないし１３のうちいずれか一項記載のシステムであって、前記構造化されたテキストの実行された修正をログに記録して解析する手段をさらに有しており、該ログに記録して解析する手段が前記統計モデルを適応させるよう適応されていることを特徴とするシステム。
〔態様１５〕
テキストをテキストセクションにセグメント分割し、注釈付けされたトレーニング・データに基づいて各テキストセクションにトピックを付与するためのコンピュータプログラムであって、
・トレーニング・データから抽出された統計モデルを使うことによって当該テキストをテキストセクションにセグメント分割し、
・前記トレーニング・データから抽出された統計モデルを使うことによって各テキストセクションに該テキストセクションの内容を示すトピックを付与し、該トピックはさらにラベルの集合に付与されており、
・前記ラベルを前記テキストセクションに付与するために当該テキストに前記ラベルの集合のうちの一つのラベルをセクション見出しとして挿入することによって、構造化されたテキストを生成し、
・前記構造化されたテキストをユーザーに提示し、
・ユーザーの校閲に反応して前記構造化されたテキストの修正を処理する、
プログラム手段を有することを特徴とするプログラム。
〔態様１６〕
態様１５記載のコンピュータプログラムであって、前記構造化されたテキストの修正を処理するプログラム手段が、当該テキストのセクションへのセグメント分割の修正ならびに／またはラベルとテキストセクションとの間の対応付けの修正を実行するよう適応されており、該ラベルとテキストセクションとの間の対応付けの修正のために前記プログラム手段がさらに：
・あるテキストセクションにラベルを、該テキストセクションに付与されている前記トピックに付与された前記ラベルの集合のうちの一つのラベルを選択することによって付与し、
・当該テキスト中の第一の位置で付与されたラベルを選択し、その付与されたラベルを当該テキスト中の第二の位置に移動することによってセクション境界を再定義し、前記第二の位置がセクション境界を定義し、前記選択されたラベルが前記セクション見出しを定義し、
・ラベルを入力し、該入力されたラベルを前記テキストセクションに付与する、
ステップを実行するよう適応されていることを特徴とするプログラム。
〔態様１７〕
態様１５または１６記載のコンピュータプログラムであって、前記構造化されたテキストの修正を処理する前記プログラム手段が、ユーザーの校閲に反応して当該テキスト中の修正を実行するよう適応されており、さらに：
・前記トレーニング・データから抽出された統計モデルを使い、かつ前記実行された修正を参照することによって、当該テキストをテキストセクションに再セグメント分割し、
・前記実行された修正を参照することによって当該テキストにラベルをセクション見出しとして挿入することで構造化されたテキストを再生成し、前記ラベルを前記テキストセクションに付与し、前記構造化されたテキストを校閲のためにユーザーに提示する、
ステップをその後引き起こすためのプログラム手段を有することを特徴とするプログラム。
〔態様１８〕
テキストをテキストセクションにセグメント分割し、注釈付けされたトレーニング・データに基づいて各テキストセクションにトピックを付与するためのユーザーインターフェースであって、
・トレーニング・データから抽出された統計モデルを使うことにより構造化されたテキストをユーザーに提示する手段と、
・各テキストセクションに付与された各トピックに付与されているラベルの集合をユーザーに提示する手段と、
・ユーザーの校閲に反応して前記構造化されたテキストの修正を処理する入力手段と、
・統計モデルをトレーニングするために前記構造化されたテキストの処理された修正をログに記録して解析する手段、
とを有することを特徴とするユーザーインターフェース。
〔態様１９〕
態様１８記載のユーザーインターフェースであって、前記構造化されたテキストがグラフィカルユーザーインターフェースによってユーザーに提示され、前記入力手段が、ユーザーが前記提示されたラベルの集合のうちの一つのラベルを選択してその選択されたラベルがテキストセクションに付与されるという形で、前記構造化されたテキストの修正を処理するよう適応されていることを特徴とするユーザーインターフェース。
〔態様２０〕
態様１８または１９記載のユーザーインターフェースであって、統計モデルを使い、かつ前記処理された修正を参照することによって、ユーザーの校閲に反応して再セグメント分割され、再ラベル付けされたテキストを提供する手段をさらに有することを特徴とするユーザーインターフェース。
【符号の説明】
【００５４】
４００  ユーザーインターフェース
４０２  テキストウィンドウ
４０４  提案ウィンドウ
４０６  ラベル
４０８  ポインタ
４１０  ラベルリスト
４１２  ラベル
４１４  ラベル
４１６  ラベル
４１８  ユーザー入力欄
５００  セグメント分割システム
５０２  音声
５０４  入力装置
５０６  ユーザー
５０８  外部記憶装置
５１０  音声認識モジュール
５１２  非構造化テキストモジュール
５１４  統計モデルモジュール
５１６  処理ユニット
５１８  構造化テキストモジュール
５２０  グラフィカルユーザーインターフェース
【図１】
0005450524.tif 000002
【図２】
0005450524.tif 000003
【図３】
0005450524.tif 000004
【図４】
0005450524.tif 000005
【図５】
0005450524.tif 000006